(57)【要約】      （修正有）【課題】眼球周辺のツボの押圧を行う場合において、自己の手で直接行うよりも十分な強さで押圧可能であり、また眼球に影響を与えないような適切な角度で押圧可能な視力回復器を提供する。【解決手段】可撓性の材質からなる1本のロッドの中央を逆Ｕ字形に湾曲して、前記ロッドの左半分と右半分が使用者の頭部を挟んで向き合うよう形成し、これら互いに向き合うロッドの左右両辺部には使用者の側頭部に向けて突き出た押圧体をそれぞれ取り付け、さらにロッドの左右両端に把手部を形成して成る視力回復器である。これにより、眼球周辺にあるツボを十分な強さで、しかも適切な角度で押圧できる。【選択図】図１
0003170869.tif 000002
【実用新案登録請求の範囲】
【請求項１】
可撓性の材質からなる１本のロッドの中央を逆U字形に湾曲して、
前記ロッドの左半分と右半分が使用者の頭部を挟んで向き合うよう形成し、
これら互いに向き合うロッドの左右両辺部には
使用者の側頭部に向けて突き出た押圧体をそれぞれ取り付け、
さらにロッドの左右両端に把手部を形成して成る視力回復器。
【請求項２】
前記ロッドの湾曲部に、
伸縮自在の構造を備え、ロッドの長さを可変にしたことを特徴とする請求項１に記載の視力回復器。
【請求項３】
前記伸縮自在の構造が、
ラチェット構造であることを特徴とする請求項２に記載の視力回復器。
【請求項４】
前記押圧体が、
その支軸を中心に前記ロッドの左右両辺部に揺動可能に取付けられると共に、
前記揺動動作を制約する２以上の突起を、
前記支軸に隣接して設けたことを特徴とする請求項１に記載の視力回復器。
【考案の詳細な説明】
【技術分野】
【０００１】
本考案は、視力回復のツボを押圧する視力回復器に関する。
【背景技術】
【０００２】
「視力回復」とは近視などで目の悪い者がメガネやコンタクトレンズを装着していない裸眼の状態の視力を向上させることをいう（ウィキペディア「視力回復」）。裸眼の視力回復を希望する者は多く、その方法も幾つか提案されている。例えば近視や乱視に対してはレーシック手術や、オルソケラトロジーなどがある。しかし、前者は手術費用が高額である、合併症などの危険性があるなどの問題点があり、また後者は強度の近視、乱視の場合は使用できない、装用開始初期は視力が安定しにくいなどの問題点があった。そのため、危険を伴わずに手軽に行うことができる方法である「視力回復のためのトレーニング」などで裸眼の視力を回復しようとする試みがある。
【０００３】
「視力回復のためのトレーニング」は近視の主原因の環境説に則ったプロセスを考慮したトレーニング方法である。近視の原因は、環境説、遺伝説、栄養説、照明説など多数ありそれらが複合的に作用していると考えられているが、もっとも影響が大きいのが環境説である。環境説で近視となるプロセスは以下のようになる。即ち近くて狭い範囲を長時間見続けると、遠近を調節する目の筋肉の毛様体筋も凝り固まり目の血行が悪くなり、遠くにピントを合わせづらくなる。この毛様体筋を長時間連続して緊張させると、毛様体筋に痙攣が生じこの状態を放置することにより、痙攣は慢性的な硬直へと移行して近視となる。「視力回復のためのトレーニング」は上記プロセスを考慮してそれを改善するようにプログラムが組まれており、その中では眼球周辺にあるツボを押圧して目の血行をよくしようとするプロセスが組まれることが多い。また目の血行をよくすることは、近視の矯正だけでなく老眼や乱視の矯正にも効果があると共に、その前段階の目の疲れを癒す効果もある。
【０００４】
眼球周辺のツボの中でもこめかみ部分の「太陽」と眉毛の端にあたる「絲竹空（しちくくう）」のツボへの刺激は目の血行をよくする効果があると言われている。この部分への刺激は、従来は「視力回復のためのトレーニング」を行う者が自ら素手で行っていることが多かったが、素手で行っているため必要な圧力をかけることができず、十分な効果を得ることができなかった。また、特許文献１に記載の健康器具などによりツボを押圧することも可能であるが、既存の健康器具では眼球周辺にあるツボに対して、眼球に影響を与えないように適切な角度で押圧することが困難であった。
【先行技術文献】
【特許文献】
【０００５】
【特許文献１】特開２００６−２８０８２７
【考案の概要】
【考案が解決しようとする課題】
【０００６】
解決しようとする課題は、自己の手で行う場合の押圧の強さが十分なものではなく効果が限られており、また既存の健康器具では眼球に影響を与えないように眼球周辺のツボを適切な角度で押圧することが困難であったという点である。
眼球周辺のツボの押圧を行う場合において、自己の手で直接行うよりも十分な強さで押圧可能であり、また眼球に影響を与えないような適切な角度で押圧可能な視力回復器を提供することである。
【課題を解決するための手段】
【０００７】
本考案は、上記課題を解決すべく次のような技術的手段を講じた。
すなわち、請求項１記載の考案は、可撓性の材質からなる１本のロッドの中央を逆Ｕ字形に湾曲して、前記ロッドの左半分と右半分が使用者の頭部を挟んで向き合うよう形成し、これら互いに向き合うロッドの左右両辺部には使用者の側頭部に向けて突き出た押圧体をそれぞれ取り付け、さらにロッドの左右両端に把手部を形成して成る視力回復器である。
【０００８】
また、請求項２記載の考案は、前記ロッドの湾曲部に、伸縮自在の構造を備え、ロッドの長さを可変にしたことを特徴とする請求項１に記載の視力回復器である。
【０００９】
また、請求項３記載の考案は、前記伸縮自在の構造が、ラチェット構造であることを特徴とする請求項２に記載の視力回復器である。
【００１０】
また、請求項４記載の考案は、前記押圧体が、その支軸を中心に前記ロッドの左右両辺部に揺動可能に取付けられると共に、前記揺動動作を制約する２以上の突起を、前記支軸に隣接して設けたことを特徴とする請求項１に記載の視力回復器である。
【考案の効果】
【００１１】
請求項１に記載の考案によれば、視力回復器が可撓性の材質からなる１本のロッドの中央を逆Ｕ字形に湾曲し、ロッドの左右両端に把手部を形成していることにより、視力回復器の使用者がその後頭部に対向するように逆Ｕ字形状の湾曲部を位置させ、端部に設けた把手部を把持して、頭部を挟み込むようにしてツボを押圧することで、てこの原理を利用して自己の手で直接押圧するよりも強い押圧力を得ることができる。
【００１２】
請求項２に記載の考案によれば、前記ロッドの湾曲部に伸縮自在の構造を備えたことにより、押圧体の姿勢を適切な角度に保持したままロッド長さ調整し、視力回復器の使用者の頭部に合わせて適切に視力回復器を使用できる。
【００１３】
請求項３に記載の考案によれば、前記伸縮自在の構造が、ラチェット構造であることにより、伸縮量をより細かく調整できるとともに、湾曲部の伸縮を行う際の作業をより簡易にすることができる。
【００１４】
請求項４に記載の考案によれば、前記押圧体が、その支軸を中心に前記ロッドの左右両辺部に揺動可能に取付けられることにより、ツボを押圧する際の押圧部の姿勢を適切な角度にし、眼球に影響を及ぼさないように押圧することができる。またその揺動動作を拘束する２以上の突起があることにより、側頭部を押圧する際の押圧部の姿勢を適切に保持することができる。
【図面の簡単な説明】
【００１５】
【図１】本考案に係る視力回復器の第一実施形態の平面図である。
【図２】本考案の視力回復器の使用図である。
【図３】本考案に係る視力回復器の第一実施形態の伸縮自在構造部の断面図である。
【図４】本考案に係る視力回復器の第二実施形態の伸縮自在構造部の断面図である。
【図５】本考案に係る視力回復器の第三実施形態の伸縮自在構造部の断面図である。
【考案を実施するための形態】
【００１６】
（第一実施形態）
以下、本考案の第一の実施形態について、図１乃至図３を用いて説明する。
【００１７】
第一の実施形態に係る視力回復器１は、可撓性の材質からなる１本のロッド２の中央を図１に示すように逆Ｕ字形とすることにより構成する。本実施形態におけるロッド２の具体的な材質は硬質プラスチックである。ただし、これに限定されるものではなく、可撓性を有するアルミニウムなどの金属製とすることもできるし、ロッド２の一部（例えば逆Ｕ字形の湾曲部４）のみを金属製とすることも可能である。
【００１８】
ロッド２の材質が硬質プラスチックであるので、ロッド２は射出成型により製作する。アルミニウムなど金属製である場合は、曲げ加工により逆Ｕ字形とする。ロッド２の断面形状は円形であるが、これに限定されるものではなく楕円形や略方形とすることもできる。ただし金属製である場合などは、全体の重量を軽減するために中空形状にする。
【００１９】
ロッド２は左半分と右半分が使用者１０の頭部を挟んで向き合うように形成され、使用者１０の側頭部のツボ（太陽、もしくは絲竹空）を押圧するために、使用者側頭部の方向に突き出た押圧部５をロッド２の左右両辺部３ａ・３ｂに対向するように取付ける。
【００２０】
押圧部５はロッド２の本体に、揺動可能に設ける。具体的にはロッド２の本体に金属製の支軸９を埋め込み、それに押圧体５の穴部をはめ込むことにより、押圧体５が支軸９を中心にしながら図１において上下に揺動動作をすることができる。また、揺動可能な構造とする他の構成としては、押圧体５に金属製の支軸を設け、ロッド２の本体に穴部を設けることも可能であり、また、支軸９をロッド２と硬質プラスチックの一体成型品として製作することも可能である。
【００２１】
押圧体５の使用者側頭部への接触部は、通常成人男性の手のひらの掌底部と同程度の大きさであり、材質は軟質のプラスチックでできている。この部分は交換可能な構造であり、大きさのバリエーションとしては成人男性の親指の先と同程度のものとすることもできる。
【００２２】
押圧体５の支軸９に隣接して、ロッド２に押圧部５の揺動動作の一部を制約するための突起であるピン７を設ける。このピンがない場合、押圧部５の姿勢は支軸９を中心にして大きく上下に揺動することとなり、視力回復器１を使用する際に押圧部５の姿勢が安定せず容易に視力回復器１を使用することができなくなる。
【００２３】
ロッド２の端部には、使用者１０が視力回復器１を用いて側頭部を安定的に押圧するための把手部６を設ける。本実施例において把手部６は、一体成型品として使用者１０の指がはまり込むような形状を作成する。ただしこの形式に限定されるものではなく、例えば軟質プラスチックで作成したグリップをロッド２にはめ込んだり、革製品をロッド２の端部に巻きつけて把手部を形成するようにすることも可能である。
【００２４】
ロッド２のＵ字形状の湾曲部４には、ロッド２の左右両辺の間隔を変更できるように、その長さを変更できるような伸縮自在構造部８を設ける。図１においては湾曲部４の曲線で区切られ、ハッチングを施した部分は伸縮自在構造部８の断面構造を表しており、その拡大図を図３において示している。なお図３（ａ）は、伸縮自在構造部８が伸びた状態の図であり、図３（ｂ）は伸縮自在構造部８が縮んだ状態の図であり、図４、図５においても同様である。
【００２５】
図３の伸縮自在構造部８は、ラチェット構造により構成している。図３の右側の部材は、ロッド２を逆Ｕ字形の湾曲部４で二分割したもの一方の部材であり、その端部には、円柱部材に段差を設け、半径の小さい円柱部に鋸歯１１の形状を設けている。図３の左側の部材は、二分割したもののもう一方の部材であり右側の半径の小さい円柱部を差し込むことができる円筒部を端部に構成し、その円筒部の円周の一部には円筒部と一体的に歯止め爪１２を設ける。これにより右側の部材と左側の部材を挿入する場合に、挿入する方向へは小さな力で動作させることができるとともに、抜く方向には全く動作させることができない構成とすることができる。加えて歯止め爪１２の上部には突起１３を設ける。この突起部１３を上方向に引張り上げることで、一度はめ込んだ状態の２つの部材を抜く方向に移動させることができる。
【００２６】
本実施例による視力回復器１の使用方法を説明する。
【００２７】
視力回復器１を使用する前の準備として、使用者１０は押圧体５の使用者側頭部への接触部の形状を選択して取り付け、押圧体５を構成するようにし、その後湾曲部４の伸縮自在構造部８がもっとも短くなるように伸縮自在構造部８を構成する部材をはめ合わせる。本実施例において伸縮自在構造部８はラチェット構造を採用しているので、歯止め爪１２がもっとも奥の鋸歯１１に引っかかった位置にあるようにする（図３（ｂ））。
【００２８】
準備が整った後、図２に示すように視力回復器１を使用する。即ち、押圧体５を使用者１０の側頭部に位置するツボに接触させながら、ロッド２の把手部６を両手で把持した状態にする。てこの原理により、人が直接押圧するよりも大きい力でツボを押圧することができると共に、押圧体５はロッド２の左右両辺部３ａ・３ｂに揺動可能に取り付いているので、押圧部５の姿勢を適切な角度にでき、眼球に影響を及ぼさないように押圧することができる。この状態で適切にツボを押圧することができると使用者１０が判断した場合には、矢印の示す方向へ力を加え、使用者１０の側頭部のツボ（太陽、もしくは絲竹空）を押圧する。「視力回復のためのトレーニング」のプログラムに従って、１日に２，３回数秒程度適切に押圧を行うことにより、目の血行をよくし視力回復を行うことができる。
【００２９】
使用者１０の頭部のサイズが大きい場合は、押圧体５の姿勢を適切な角度にできない場合がある。その場合は、湾曲部４にある伸縮自在構造部８を長くすることにより対応する。本実施例においては、伸縮自在構造部８はラチェット構造を採用しているので、伸縮自在構造部８を長くするためには突起部１３を持ち上げることにより歯止め爪１２を持ち上げ、左右の部材を抜く方向に動作させることにより、伸縮自在構造部８を長くすることができる。
【００３０】
本実施例に係る視力回復器１は、視力回復に効果のある太陽、もしくは絲竹空というツボを押圧することを目的としているが、小腸経に属し、歯痛や首の痛みを緩和する「聴宮（ちょうきゅう、耳下顎骨角突起の後ろ）」と言うツボや、三焦経に属し、歯痛・風邪・腹痛を緩和する「耳門（じもん、耳根前下方の窪み）」と言うツボを押圧するのに用いることも可能である。
【００３１】
（第二実施形態）
以下、本考案の第二の実施形態について、図４を用いて説明する。
【００３２】
第一実施形態との違いは、伸縮自在構造部８を構成するラチェットにおいて、歯止め爪１２を伸縮自在構造部の軸方向に２つ設けたことである。
【００３３】
視力回復器１を使用する場合に伸縮自在構造部８には繰り返し荷重がかかるようになる。よってその部分の剛性を増すことにより、視力回復器１を長期間にわたって使用することができる。
【００３４】
（第三実施形態）
以下、本考案の第三の実施形態について、図５を用いて説明する。
【００３５】
第一実施形態との違いは、ロッド２の逆Ｕ字形の湾曲部４にある伸縮自在構造部８の構造である。本実施形態は伸縮自在構造部８がおねじを有する部材１４と、めねじを有する部材１５とが螺合しており、その螺合を利用して伸縮機能を実現している。螺合を利用して伸縮機能を実現する方法としては、本実施形態のほかに、ターンバックルのように両端に右ねじと左ねじのめねじを設けた筒状体と、ロッドの左右辺部にこれに対応したおねじを設け、筒状体をねじることにより伸縮機能を実現するような構成もある。このような構成とすることにより、ねじのピッチというより小さな単位で伸縮自在構造部の長さを調整することができる。
【符号の説明】
【００３６】
１  視力回復器
２  ロッド
３ａ  左辺部
３ｂ  右辺部
４  湾曲部
５  押圧体
６  把手部
７  ピン
８  伸縮自在構造部
９  支軸
１０  使用者
１１  鋸歯
１２  歯止め爪
１３  突起
１４  おねじを有する部材
１５  めねじを有する部材
【図１】
0003170869.tif 000003
【図２】
0003170869.tif 000004
【図３】
0003170869.tif 000005
【図４】
0003170869.tif 000006
【図５】
0003170869.tif 000007